(57)【要約】【課題】スタンバイモードの動作をユーザーが試して確認できる表示装置を提供する。【解決手段】制御部は、テストモードに遷移すると予め決められた期間だけ表示モードよりも表示部の消費電力を抑制するテスト期間を開始し、テスト期間中に画像信号が入力されるとテスト期間を途中終了して第一のテスト結果を報知し、テスト期間中に画像信号が入力されない場合はテスト期間を終了して第二のテスト結果を報知する、表示装置。【選択図】図３
2015166805.tif 000002
【特許請求の範囲】
【請求項１】
画像信号を入力する信号入力部と、
表示モードにおいて前記画像信号に基づいて画像を表示する表示部と、
スタンバイモードまたは前記スタンバイモードの動作を確認するためのテストモードに前記表示モードから遷移する指示を受け付ける操作部と、
前記スタンバイモードに遷移すると前記表示モードよりも前記表示部の消費電力を抑制し、前記スタンバイモードにおいて前記画像信号が入力されると前記表示モードに遷移する制御部と、
を備え、
前記制御部は、前記テストモードに遷移すると予め決められた期間だけ前記表示モードよりも前記表示部の消費電力を抑制するテスト期間を開始し、前記テスト期間中に前記画像信号が入力されると前記テスト期間を途中終了して第一のテスト結果を報知し、前記テスト期間中に前記画像信号が入力されない場合は前記テスト期間を終了して第二のテスト結果を報知する、
表示装置。
【請求項２】
前記制御部は、前記テスト期間中に前記画像信号が入力される場合は前記第一のテスト結果を報知した後に、前記スタンバイモードに遷移する、
請求項１に記載の表示装置。
【請求項３】
前記表示部は、前記画像を表示するための光源を備え、
前記制御部は、前記スタンバイモードおよび前記テストモードにおいて、前記光源への電力供給を停止する、
請求項１または２に記載の表示装置。
【請求項４】
前記制御部は、前記表示部に前記第一のテスト結果および前記第二のテスト結果を表示させる、
請求項１から３のいずれか一項に記載の表示装置。
【発明の詳細な説明】
【技術分野】
【０００１】
本発明は表示装置に関する。
【背景技術】
【０００２】
特許文献１に記載されているように、投写光源を消灯し、動作状態への操作を待機しているスタンバイモードにおいて画像信号が入力されると、投写光源を点灯して動作状態に遷移し、入力された画像信号に基づく画像を投写する自動復帰機能を備えたプロジェクターが知られている。
【先行技術文献】
【特許文献】
【０００３】
【特許文献１】特開２００９−１９８５４３号公報
【発明の概要】
【発明が解決しようとする課題】
【０００４】
上述したような自動復帰機能によれば、スタンバイモードにおいて、プロジェクターに接続された外部機器より画像信号が入力されたときに動作状態に復帰させることができる。しかしながら、このような自動復帰機能が有効に設定されていたとしても、外部機器が正しい画像入力端子に接続されていない場合、または、外部機器から画像信号が正しく入力されない場合などはプロジェクターを動作状態に復帰させることはできない。また、ユーザーが自動復帰機能を設定し忘れることもあり、自動復帰機能が正しく使われないことがあった。
【０００５】
本発明は、このような問題を解決するために創作されたものであって、スタンバイモードの動作をユーザーが試して確認できる表示装置を提供することを目的とする。
【課題を解決するための手段】
【０００６】
（１）上記目的を達成するための表示装置は、画像信号を入力する信号入力部と、表示モードにおいて前記画像信号に基づいて画像を表示する表示部と、スタンバイモードまたは前記スタンバイモードの動作を確認するためのテストモードに前記表示モードから遷移する指示を受け付ける操作部と、前記スタンバイモードに遷移すると前記表示モードよりも前記表示部の消費電力を抑制し、前記スタンバイモードにおいて前記画像信号が入力されると前記表示モードに遷移する制御部と、を備え、前記制御部は、前記テストモードに遷移すると予め決められた期間だけ前記表示モードよりも前記表示部の消費電力を抑制するテスト期間を開始し、前記テスト期間中に前記画像信号が入力されると前記テスト期間を途中終了して第一のテスト結果を報知し、前記テスト期間中に前記画像信号が入力されない場合は前記テスト期間を終了して第二のテスト結果を報知する。
【０００７】
本発明によると、スタンバイモードと同様に表示部の消費電力が抑制されるテストモードにおいて、スタンバイモードと同様に画像信号を入力することにより表示部の消費電力の抑制が終了し、さらにテスト結果が表示されるため、ユーザーはスタンバイモードの動作を試して確認することができる。
【０００８】
（２）上記目的を達成するための表示装置において、前記制御部は、前記テスト期間中に前記画像信号が入力される場合は前記第一のテスト結果を報知した後に、前記スタンバイモードに遷移してもよい。
この構成を採用する場合、テストモードでユーザーがスタンバイモードの動作を確認すると、スタンバイモードに自動遷移するため、ユーザーに求める操作回数を低減することができる。
【０００９】
（３）上記目的を達成するための表示装置において、前記表示部は、前記画像を表示するための光源を備え、前記制御部は、前記スタンバイモードおよび前記テストモードにおいて、前記光源への電力供給を停止してもよい。
この構成を採用する場合、スタンバイモードの消費電力を大きく抑制することができる。
【００１０】
（４）上記目的を達成するための表示装置において、前記制御部は、前記表示部に前記第一のテスト結果および前記第二のテスト結果を表示させてもよい。
この構成を採用する場合、テスト結果をより確実にユーザーに認識させることができる。
【００１１】
尚、本発明は、表示方法に適用することも可能である。また請求項に記載された各手段の機能は、構成自体で機能が特定されるハードウェア資源、プログラムにより機能が特定されるハードウェア資源、又はそれらの組み合わせにより実現される。また、これら各手段の機能は、各々が物理的に互いに独立したハードウェア資源で実現されるものに限定されない。
【図面の簡単な説明】
【００１２】
【図１】本発明の実施形態にかかるブロック図。
【図２】本発明の実施形態にかかるフローチャート。
【図３】本発明の実施形態にかかるフローチャート。
【図４】本発明の実施形態にかかるフローチャート。
【図５】本発明の実施形態にかかるフローチャート。
【図６】本発明の実施形態にかかるフローチャート。
【図７】本発明の実施形態にかかる画面構成図。
【図８】本発明の実施形態にかかる画面構成図。
【発明を実施するための形態】
【００１３】
以下、本発明の実施の形態を添付図面を参照しながら説明する。尚、各図において対応する構成要素には同一の符号が付され、重複する説明は省略される。
【００１４】
１．概要
本発明の一実施例によるプロジェクターは、壁、机、専用スクリーン等に画像を投写する表示装置である。プロジェクターは、通常モードである表示モードと、消費電力を抑制し通常モードに移行するための操作を待機するスタンバイモードで動作する。表示モードでは、投写光源が常時点灯し、画像を投写することができる。電源スイッチの押下がスタンバイモードから表示モードに復帰するトリガーとなる。またプロジェクターへの画像信号の入力を、スタンバイモードから通常モードに復帰するトリガーとする設定が可能である。本実施例では、画像信号の入力によってスタンバイモードから通常モードに復帰する処理を自動復帰といい、自動復帰するスタンバイモードを自動復帰モードというものとする。本実施例のプロジェクターは、自動復帰をテストするためのテストモードで作動させることが可能である。
【００１５】
２．プロジェクターの構成
図１に示すように、プロジェクター１は、表示部として、光源駆動部１６、光源としての投写光源１７、液晶ライトバルブ１０、液晶駆動部１１、ＯＳＤ処理部１２、画像信号処理部１３を備えるほか、信号入力部としての画像信号入力部１４、制御部１５、外部記憶１５１、操作部１８、電源部１９等を備えている。投写光源１７は、高圧水銀灯、ＬＥＤ（Light emitting diode）、レーザー等によって構成され、光源駆動部１６によって駆動される。画像信号入力部１４は、複数種類の入力端子を備え、外部機器から各種の画像信号が入力される。画像信号処理部１３は、外部機器から入力された画像信号に基づいて表示形態に応じた画像データを生成する。ＯＳＤ処理部１２は、外部機器から入力された画像信号に基づく画像データと、制御部１５が生成する文字等を表す画像データとを合成して出力する。液晶駆動部１１は、ＯＳＤ処理部１２から出力される画像データを、液晶ライトバルブ１０の各画素を駆動するためのアナログ信号に変換する。液晶ライトバルブ１０は、投写光源１７から放射され図示しないダイクロイックミラーによって分離された赤、緑、青の波長の光の透過率をそれぞれが画素毎に制御する３つの液晶パネル１０ａ、１０ｂ、１０ｃを備える。操作部１８は制御部１５に各種の指示を入力するための選択キーや決定キーや、外部電源から電源部１９への電力供給をオンおよびオフするための電源スイッチを備える。電源部１９は、プロジェクター１の各部に電力を供給する。制御部１５は、外部記憶１５１に格納されている制御プログラムを実行することにより、プロジェクター１の各部を制御する。
【００１６】
３．表示モードの作動
表示モードでは、制御部１５は、電源部１９から光源駆動部１６へ電力を供給させる。光源駆動部１６によって駆動される投写光源１７から照射されて図示しないダイクロイックミラーで分離され液晶ライトバルブ１０を透過した光は、図示しないダイクロイックプリズムによって合成され、図示しないレンズ、凹面鏡等によって投写され、壁、机、専用スクリーン等の投写面に像を結ぶ。
【００１７】
４．スタンバイモードの作動
次に図２を参照しながらスタンバイモードの作動を説明する。電源スイッチの押下が表示モードからスタンバイモードに遷移するトリガーとなる。
【００１８】
スタンバイモードに遷移すると、制御部１５は、投写光源１７を消灯する（Ｓ５）。具体的には制御部１５は、電源部１９から光源駆動部１６への電力の供給を遮断する。スタンバイモードでは投写光源１７が消灯するため、消費電力が抑制され、投写面に画像は表示されない。スタンバイモードでは、画像を表示する必要がないため、電源部１９から液晶駆動部１１、ＯＳＤ処理部１２および画像信号処理部１３への電力の供給を遮断しても良い。
続いて制御部１５は、画像信号入力部１４に画像信号が入力されたか否かを判定する（Ｓ８）。
【００１９】
画像信号入力部１４に画像信号が入力された場合、制御部１５は、スタンバイモードが自動復帰モードに設定されているか否かを判定する（Ｓ１１）。スタンバイモードが自動復帰モードに設定されていない場合、制御部１５はステップＳ８から処理を繰り返す。
【００２０】
スタンバイモードが自動復帰モードに設定されている場合、制御部１５は後述する自動復帰処理を実行する（Ｓ１２）。自動復帰処理が実行されると、通常モードに復帰して電源部１９から光源駆動部１６への電力の供給が再開され、投写面に画像が表示される。すなわち、スタンバイモードが自動復帰モードに設定されている場合には、操作部１８に対する操作が無くても、外部機器から画像信号がプロジェクター１に入力されると、外部機器から入力される画像信号に基づいて自動的に画像が表示される。スタンバイモードが自動復帰モードに設定されていない場合には、制御部１５はステップＳ８から処理を繰り返す。
【００２１】
画像信号入力部１４に画像信号が入力されていない場合、制御部１５は、メイン電源をオンにする操作があったか否かを判定する（Ｓ９）。具体的には、制御部１５は、操作部１８の電源スイッチが押されたか否かを判定する。メイン電源をオンにする操作が無い場合、制御部１５はステップＳ８から処理を繰り返す。
【００２２】
メイン電源をオンにする操作があった場合、制御部１５は、後述するスイッチオン復帰処理を実行する（Ｓ１３）。スイッチオン復帰処理が実行されると、通常モードに復帰して電源部１９から光源駆動部１６への電力の供給が再開され、画像信号入力部１４に画像信号が入力されると、入力された画像信号に基づいて投写面に画像が表示される。すなわち、プロジェクター１は、メイン電源をオンにする操作によって、スタンバイモードから表示モードに復帰する。
【００２３】
５．自動復帰モードの設定とテストモードの作動
次に図３から図８を参照しながら自動復帰モードの設定とテストモードの作動について説明する。
【００２４】
自動復帰モードは、操作部１８に対して所定の操作がなされた場合に、制御部１５が例えば図７Ａに示すような設定画面を表示した状態において選択キーと決定キーによって自動復帰モード（「自動復帰する」）が選択されると、設定される。なお、設定画面は操作部１８に備わるディスプレイに表示しても良いし、投写光源１７で投写することによって投写面に表示しても良い。自動復帰モードが選択されると、制御部１５はスタンバイモードを自動復帰モードに設定する（Ｓ０）。具体的には例えば、制御部１５は自動復帰モードのオン・オフを示すフラグをオンにセットする。
【００２５】
続いて制御部１５は、確認メッセージを表示する（Ｓ１）。具体的には例えば、制御部１５は、自動復帰テストの要否をユーザーに問い合わせるためのメッセージと選択項目（「テストしない」と「テストする」）を図７Ｂに示すように表示する。確認メッセージは、操作部１８に備わるディスプレイに表示しても良いし、投写光源１７で投写することによって投写面に表示しても良い。
【００２６】
続いて制御部１５は、自動復帰テストの要否を判定する（Ｓ２）。具体的には例えば、制御部１５は、図７Ｂに示す画面において「テストしない」を選択する操作が操作部１８に対して行われたか、「テストする」を選択する操作が操作部１８に対して行われたかを、判定する。
【００２７】
自動復帰テストが不要の場合、制御部１５は画像の投写を開始して（Ｓ７）、自動復帰モードの設定処理を終了する。その結果、制御部１５は、外部機器から入力される画像信号に基づく画像を表示する表示モードに復帰する。
自動復帰テストが必要の場合、制御部１５は自動復帰テスト中であるか否かを示すテストフラグをオンにセットする（Ｓ３）。これにより、制御部１５の作動はテストモードに遷移する。
【００２８】
テストモードに遷移すると、制御部１５はまずガイダンスを表示する（Ｓ４）。具体的には例えば、制御部１５は、図７Ｃに示すように、自動復帰をテストするために必要な操作を案内するメッセージを表示する。ガイダンスは、操作部１８に備わるディスプレイに表示しても良いし、投写光源１７で投写することによって投写面に表示しても良い。
【００２９】
続いて制御部１５は、投写光源１７を消灯する（Ｓ５）。具体的には、スタンバイモードと同様に、制御部１５は、電源部１９から光源駆動部１６への電力の供給を遮断する。このとき、電源部１９から液晶駆動部１１、ＯＳＤ処理部１２および画像信号処理部１３への電力の供給も遮断しても良い。
【００３０】
続いて制御部１５は、自動復帰テストのテスト期間を計るタイマーをスタートさせる（Ｓ６）。具体的には、制御部１５は、予め決められた時間をタイマーに設定して計時を開始する。ここで制御部１５は、予め決められた期間だけスタンバイモードに遷移し、予め決められた期間が経過するとスタンバイモードから復帰するように、タイマーを設定してスタートさせることになる。すなわち、テストモードでは、スタンバイモードで実行されるＳ８、Ｓ９、Ｓ１１、Ｓ１２、Ｓ１３の処理が、予め決められた時間だけ繰り返し実行されるのである。
【００３１】
テストモードで実行されるステップＳ９の判定において、電源スイッチに対する操作が無い場合、制御部１５は、テストモードに遷移してからタイマーに設定した時間が経過したか否かを判定し（Ｓ１０）、経過していなければ、ステップＳ８から上述の処理を繰り返す。
【００３２】
テストモードに遷移してからタイマーに設定した時間が経過した場合、制御部１５は後述するタイムアップ復帰処理を実行する（Ｓ１４）。
【００３３】
ここでスタンバイモードおよびテストモードにおいて実行される自動復帰処理（Ｓ１２）について図４および図８Ａを参照しながら詳細に説明する。
自動復帰処理では、はじめに、制御部１５は投写光源１７を点灯する（Ｓ１２１）。具体的には、制御部１５は、電源部１９から光源駆動部１６への電力の供給を開始する。
続いて制御部１５は、テストフラグがオンであるかオフであるかを判定する（Ｓ１２２）。すなわち、テストモードで動作しているか否かが判定される。
【００３４】
テストフラグがオフである場合、制御部１５は画像の投写を開始する（Ｓ７）。すなわち制御部１５は、外部機器から入力される画像信号に基づく画像を表示する表示モードに復帰する。
【００３５】
自動復帰処理でテストフラグがオンである場合、すなわち、テストモードで動作している場合、制御部１５は、成功メッセージを表示する（Ｓ１２４）。具体的には例えば、制御部１５は、画像信号の入力によって投写光源１７が点灯して自動復帰が成功したことを報知するメッセージとともに、テストを終了するか、再テストするか、自動復帰設定を解除するかの選択肢を提示する画像データをＯＳＤ処理部１２に出力する。その結果、例えば図８Ａに示す画面が投写面に表示される。ここで表示されるメッセージが、自動復帰テストの成功に対応する第一のテスト結果に相当する。
【００３６】
続いて制御部１５は、テストフラグをオフにリセットする（Ｓ１２５）。これにより、テストモードは一旦終了する。
続いて制御部１５は、ユーザーの指示が、テスト終了であるか、再テストであるか、自動復帰設定の解除であるかを判定する（Ｓ１２６）。具体的には、例えば図８Ａに示す画面において、「テストを終了する」、「再テストする」、「自動復帰設定を解除する」のいずれが選択されたかを、操作部１８の出力に基づいて制御部１５が判定する。
【００３７】
テスト終了が指示された場合、制御部１５は画像の投写を開始する（Ｓ７）。すなわち制御部１５は、外部機器から入力される画像信号に基づく画像を表示する表示モードに復帰する。
再テストが指示された場合、制御部１５はステップＳ３から処理を繰り返す。すなわち、制御部１５はテストモードに再び遷移する。
自動復帰設定の解除が指示された場合、制御部１５は自動復帰モードの設定を解除する（Ｓ１２７）。具体的には、制御部１５は自動復帰モードのオン・オフを示すフラグをオフにリセットする。
【００３８】
続いて制御部１５は、画像の投写を開始する（Ｓ７）。すなわち制御部１５は、外部機器から入力される画像信号に基づく画像を表示する表示モードに復帰する。
【００３９】
次に、スタンバイモードおよびテストモードにおいて実行されるスイッチオン復帰処理（Ｓ１２）について図５および図８Ｂを参照しながら詳細に説明する。
スイッチオン復帰処理では、はじめに、制御部１５は投写光源１７を点灯する（Ｓ１２１）。
続いて制御部１５は、テストフラグがオンであるかオフであるかを判定する（Ｓ１２２）。すなわち、テストモードで動作しているか否かが判定される。
【００４０】
テストフラグがオフである場合、制御部１５は画像の投写を開始する（Ｓ７）。すなわち制御部１５は、外部機器から入力される画像信号に基づく画像を表示する表示モードに復帰する。
【００４１】
スイッチオン復帰処理でテストフラグがオンである場合、すなわち、テストモードで動作している場合、制御部１５は、中断メッセージを表示する（Ｓ１３５）。具体的には、制御部１５は、電源スイッチの操作によって投写光源１７が点灯して自動復帰テストが中断したことを報知するメッセージとともに、自動復帰テストを中断するか、再テストするかの選択肢を提示する画像データをＯＳＤ処理部１２に出力する。その結果、例えば図８Ｂに示す画面が投写面に表示される。ここで表示されるメッセージは、自動復帰テストの失敗に対応する第二のテスト結果に相当する。
【００４２】
続いて制御部１５は、テストフラグをオフにリセットする（Ｓ１２５）。これにより、テストモードは一旦終了する。
続いて制御部１５は、ユーザーの指示が、テスト中断であるか、再テストであるかを判定する（Ｓ１３７）。具体的には例えば、図８Ｂに示す画面において、「テストを中断する」、「再テストする」のいずれが選択されたかを、操作部１８の出力に基づいて制御部１５が判定する。
【００４３】
テスト中断が指示された場合、制御部１５は画像の投写を開始する（Ｓ７）。すなわち制御部１５は、外部機器から入力される画像信号に基づく画像を表示する表示モードに復帰する。
再テストが指示された場合、制御部１５はステップＳ３から処理を繰り返す。すなわち、制御部１５はテストモードに再び遷移する。
【００４４】
次に、テストモードにおいて実行されるタイムアップ復帰処理について図６および図８Ｃを参照しながら詳細に説明する。
タイムアップ復帰処理では、はじめに、制御部１５は投写光源１７を点灯する（Ｓ１２１）。すなわち、テストモードに遷移してから予め決められた時間（テスト期間）が経過すると、画像信号の入力が無くても、電源スイッチに対する操作が無くても、投写光源１７が点灯する。
【００４５】
続いて制御部１５は、失敗メッセージを表示する（Ｓ１４５）。具体的には制御部１５は、テスト期間中に画像信号が入力されなかったために、自動復帰のテストができなかったことを報知するメッセージとともに、テストを終了するか、再テストするかの選択肢を提示する画像データをＯＳＤ処理部１２に出力する。その結果、例えば図８Ｃに示す画面が投写面に表示される。ここで表示されるメッセージも、自動復帰テストの失敗に対応する第二のテスト結果に相当する。
【００４６】
続いて制御部１５は、テストフラグをオフにリセットする（Ｓ１２５）。これにより、テストモードは一端終了する。
【００４７】
続いて制御部１５は、ユーザーの指示が、テスト終了であるか、再テストであるかを判定する（Ｓ１４７）。具体的には例えば、図８Ｃに示す画面において、「テストを終了する」、「再テストする」のいずれが選択されたかを、操作部１８の出力に基づいて制御部１５が判定する。
【００４８】
テスト終了が指示された場合、制御部１５は画像の投写を開始する（Ｓ７）。すなわち制御部１５は、外部機器から入力される画像信号に基づく画像を表示する表示モードに復帰する。
【００４９】
再テストが指示された場合、制御部１５はステップＳ３から処理を繰り返す。すなわち、制御部１５はテストモードに再び遷移する。
【００５０】
以上説明した実施例によると、スタンバイモードと同様に投写光源１７を含む表示部の消費電力が抑制されるテストモードにおいて、スタンバイモードと同様に画像信号を入力することにより表示モードに復帰する自動復帰テストが実行され、さらにテストモードのテスト結果が表示されるため、ユーザーはスタンバイモードの動作を試して確認することができる。また、テストモードにおける自動復帰テストの結果が、投写光源１７によって投写される画面に表示されるため、自動復帰テストの結果をより確実にユーザーに認識させることができる。
【００５１】
６．他の実施形態
尚、本発明の技術的範囲は、上述した実施例に限定されるものではなく、本発明の要旨を逸脱しない範囲内において種々変更を加え得ることは勿論である。
【００５２】
例えば、画像信号が入力された場合に自動復帰する対象となる画像信号入力部１４の入力端子を、特定の入力端子に限定しても良い。例えば、テレビジョン放送信号が入力される入力端子への画像信号の入力があった場合にのみ、スタンバイモードから自動復帰することとしても良い。また、画像信号が入力された場合に自動復帰する対象となる画像信号入力部１４の入力端子をユーザーに設定させても良い。
【００５３】
また例えば、特定のフォーマットの画像信号が入力された場合にのみ、スタンバイモードから自動復帰することとしても良い。例えば、特定の解像度、ＮＴＳＣ、ＰＡＬ，ＪＰＥＧ，ＰＤＦ，ＰＮＧ，ＧＩＦといった特定のデータ形式の画像信号が入力された場合にのみ、スタンバイモードから自動復帰することとしても良い。
【００５４】
また例えば、スタンバイモードとテストモードの消費電力の制御は同一でも良いし、異なっていても良い。具体的には例えば、スタンバイモードで電力の供給を停止する部分に対して、テストモードでは電力の供給を継続しても良い。
【００５５】
また例えば、画像を投写するために、１つの液晶パネルを用いて光を変調しても良いし、反射型の液晶パネルを用いて光を変調しても良いし、ＤＭＤ（Digital Mirror Device）を用いて光を変調しても良い。また例えば投写画像を拡大投写するために凸面鏡を用いても良いし、鏡を用いなくても良い。
また例えば、液晶パネルディスプレイや、プラズマディスプレイ、有機ＥＬ（Electro Luminescence）ディスプレイ等のプロジェクター以外の表示装置に本発明を適用しても良い。
【００５６】
なお、上述の実施例では、スタンバイモードの復帰動作を設定する際に、自動復帰をテストできる形態について説明したが、スタンバイモードへの遷移が実際に指示された場合に、自動復帰をテストできるようにしても良い。具体的には例えば、スタンバイモードが自動復帰モードに設定されている状態の表示モードにおいて、電源スイッチが操作されて表示モードからスタンバイモードへの遷移指示を受け付けた場合、制御部１５は、図７Ｂに示す画面を表示し、自動復帰テストの要否をユーザーに問い合わせても良い。テスト必要の指示を受け付けた場合には、上述したステップＳ３からの処理を開始すればよい。また、この場合、上述したステップＳ３からの処理を開始した後に、ステップＳ１２６、ＳＳ１４７の指示判定において終了の指示を受け付けた場合には、表示モードに復帰するのではなく、スタンバイモードに遷移することが好ましい。すなわち、自動復帰のテスト期間中に画像信号が入力される場合はテスト成功を報知した後に、スタンバイモードに遷移してもよい。このように構成する場合、テストモードでユーザーがスタンバイモードの動作を確認すると、スタンバイモードに自動遷移するため、ユーザーに求める操作回数を低減することができる。
【符号の説明】
【００５７】
１・・・プロジェクター、１０・・・液晶ライトバルブ、１０ａ・・・液晶パネル、１１・・・液晶駆動部、１２・・・ＯＳＤ処理部、１３・・・画像信号処理部、１４・・・画像信号入力部、１５・・・制御部、１６・・・光源駆動部、１７・・・投写光源、１８・・・操作部、１９・・・電源部、１５１・・・外部記憶
【図１】
2015166805.tif 000003
【図２】
2015166805.tif 000004
【図３】
2015166805.tif 000005
【図４】
2015166805.tif 000006
【図５】
2015166805.tif 000007
【図６】
2015166805.tif 000008
【図７】
2015166805.tif 000009
【図８】
2015166805.tif 000010